(57)【要約】【課題】車室内に空気を吹き出すための開口を、車両の幅方向における全体ではなく一部のみに偏在させた場合であっても、車室内の全体に向けて空気を吹き出すことのできる車両用空気吹き出し装置を提供する。【解決手段】車両用空気吹き出し装置１０は、車両５０の車室内に空気を吹き出すための開口ＯＰが形成されている吹き出し部１１１と、吹き出される空気の少なくとも一部を、コアンダ効果により車両５０の後方側に向かうよう案内するコアンダ壁１１２と、を備える。吹き出し部１１１は、上面視において開口ＯＰが直線状に形成されている部分である直線部１１１ａ、１１１ｃと、上面視において開口ＯＰが曲線状に形成されている部分である曲線部１１１ｂとが、車両５０の左右方向に沿って並ぶように構成されている。【選択図】図６
2017149307.tif 000002
【特許請求の範囲】
【請求項１】
車両（５０）に搭載される車両用空気吹き出し装置（１０）であって、
前記車両の車室内に空気を吹き出すための開口（ＯＰ）が形成されている吹き出し部（１１１）と、
吹き出される空気の少なくとも一部を、コアンダ効果により前記車両の後方側に向かうよう案内するコアンダ壁（１１２）と、を備え、
前記吹き出し部は、
上面視において前記開口が直線状に形成されている部分である直線部（１１１ａ，１１１ｃ）と、上面視において前記開口が曲線状に形成されている部分である曲線部（１１１ｂ）とが、前記車両の左右方向に沿って並ぶように構成されている車両用空気吹き出し装置。
【請求項２】
前記吹き出し部は、前記車両のインストルメントパネル（１）のうち、前記車両の左右方向における一方側寄りとなる位置に配置されており、
前記吹き出し部のうち、前記車両の左右方向における他方側の端部（Ｐ１）は、前記車両のフロントガラス（２）の下端部に空気を吹き付けることができる位置まで延びている、請求項１に記載の車両用空気吹き出し装置。
【請求項３】
前記曲線部に向かう空気の流速が、前記曲線部以外の部分に向かう空気の流速よりも大きくなるように、流路が部分的に絞られた絞り部（ＮＲ）が形成される、請求項２に記載の車両用空気吹き出し装置。
【請求項４】
前記開口よりも上流側には、複数のルーバ（２６１ａ〜２７０ａ）が前記開口に沿って並ぶように配置されており、
前記絞り部は、一部における前記ルーバ間の隙間を、他部における前記ルーバ間の隙間よりも狭くすることによって形成される、請求項３に記載の車両用空気吹き出し装置。
【請求項５】
前記絞り部が形成される際には、複数の前記ルーバのうち前記他方側に配置されている一群の前記ルーバ（２６１ａ〜２６３ａ）の角度が、吹き出される空気を前記フロントガラスから遠ざかる方向に向けて案内する角度となる、請求項４に記載の車両用空気吹き出し装置。
【発明の詳細な説明】
【技術分野】
【０００１】
本発明は、車両に搭載される車両用空気吹き出し装置に関する。
【背景技術】
【０００２】
車室内に空気を吹き出すことにより、フロントガラスの曇りの解消や、車室内の空調を行うことのできる車両用空気吹き出し装置が知られている。車両用空気吹き出し装置から空気が吹き出される方向は、車両用空気吹き出し装置のモードによって異なる。例えば、フロントガラスの曇りの解消を行うデフロストモードにおいては、空気はフロントガラスに向けて吹き出される。また、乗員に対して直接空調風を当てるフェイスモードにおいては、空気は乗員の上半身に向けて吹き出される。
【０００３】
下記特許文献１に記載の車両用空気吹き出し装置は、空気の出口として単一の吹出口のみがインストルメントパネルの上面に形成されている構成でありながら、上記のような複数のモードに応じて異なる方向に空気を吹き出すことが可能となっている。この車両用空気吹き出し装置は、上方に向けて開口している吹出口の内側（つまり上流側）に、曲面を有するガイド壁が配置されている。
【０００４】
例えばフェイスモードにおいては、内部の気流偏向ドアにより、上記ガイド壁に沿って流れる空気の流速が大きい状態とされる。このとき、コアンダ効果により空気はガイド壁に沿ってその流れ方向を変化させ、乗員の上半身に向けて吹き出される。また、デフロストモードにおいては、上記気流偏向ドアにより、ガイド壁に沿って流れる空気の流速が小さい状態とされる。このとき、空気はその流れ方向を変化させることなく、吹出口の上方にあるフロントガラスに向かって吹き出される。
【先行技術文献】
【特許文献】
【０００５】
【特許文献１】特開２０１４−２１０５６４号公報
【発明の概要】
【発明が解決しようとする課題】
【０００６】
本発明の発明者らは、空気の吹き出し口である開口の配置についての自由度を高めることを目的として、当該開口を車両の幅方向の全体に亘るように形成するのではなく、左右方向の一方側寄りとなる位置に配置することを検討した。しかしながら、例えば、運転席のある右側寄りとなる位置に開口が形成された場合には、フェイスモードにおいて空調風の大部分が運転席側に向かう一方で、助手席側には空調風が殆ど到達しないこととなってしまう。このように、開口の配置についての自由度を高めようとすると、空調風の向かう方向が制約を受けてしまうという問題が生じてしまう。
【０００７】
本発明はこのような課題に鑑みてなされたものであり、その目的は、車室内に空気を吹き出すための開口を、車両の幅方向における全体ではなく一部のみに偏在させた場合であっても、車室内の全体に向けて空気を吹き出すことのできる車両用空気吹き出し装置を提供することにある。
【課題を解決するための手段】
【０００８】
上記課題を解決するために、本発明に係る車両用空気吹き出し装置は、車両（５０）に搭載される車両用空気吹き出し装置（１０）であって、車両の車室内に空気を吹き出すための開口（ＯＰ）が形成されている吹き出し部（１１１）と、吹き出される空気の少なくとも一部を、コアンダ効果により車両の後方側に向かうよう案内するコアンダ壁（１１２）と、を備える。吹き出し部は、上面視において開口が直線状に形成されている部分である直線部（１１１ａ，１１１ｃ）と、上面視において開口が曲線状に形成されている部分である曲線部（１１１ｂ）とが、車両の左右方向に沿って並ぶように構成されている。
【０００９】
このような車両用空気吹き出し装置では、開口の全体が車両の左右方向に沿った一直線状に形成されているのではなく、上面視において開口が直線状に形成されている部分である直線部と、上面視において開口が曲線状に形成されている部分である曲線部と、を有する構成となっている。このため、コアンダ壁に沿って案内された空気を、単一の方向ではなく複数の異なる方向に向けて吹き出すことが可能となる。
【００１０】
例えば、開口のうち左側部分（助手席側部分）を、上面視において直線状であり且つ車両の左右方向に対し傾斜した形状とすることで、当該部分から吹き出される空気の少なくとも一部を助手席側に向かわせることが可能となる。
【００１１】
また、開口のうち右側部分（運転席側部分）を、上面視において直線状であり且つ車両の左右方向に沿うような形状とすれば、当該部分から吹き出された空気を運転席側に向かわせることができる。
【００１２】
上記のように、吹き出し部が、運転席側に空気を向かわせるための部分と、助手席側に空気を向かわせる部分とをそれぞれ有する構成とした上で、両者の間を曲線部によって繋ぐことができる。その結果、開口の配置についての自由度を高めながらも、空調風の向かう方向が制約を受けてしまうことを防止することができる。尚、上記のような構成はあくまでも一例である。例えば、開口のうち左側部分（助手席側部分）の全体を曲線部とした上で、当該曲線部から吹き出された空気の少なくとも一部が、助手席側に向かうような構成とすることも可能である。
【発明の効果】
【００１３】
本発明によれば、車室内に空気を吹き出すための開口を、車両の幅方向における全体ではなく一部のみに偏在させた場合であっても、車室内の全体に向けて空気を吹き出すことのできる車両用空気吹き出し装置が提供される。
【図面の簡単な説明】
【００１４】
【図１】本発明の実施形態に係る車両用空気吹き出し装置の構成を説明するための図である。
【図２】本発明の実施形態に係る車両用空気吹き出し装置の構成を説明するための図である。
【図３】本発明の実施形態に係る車両用空気吹き出し装置の構成を説明するための図である。
【図４】本発明の実施形態に係る車両用空気吹き出し装置の構成を説明するための図である。
【図５】本発明の実施形態に係る車両用空気吹き出し装置の各種モードについて説明するための図である。
【図６】本発明の実施形態に係る車両用空気吹き出し装置のうち、吹き出し部の形状及び配置を示す図である。
【図７】本発明の実施形態に係る車両用空気吹き出し装置の構成を説明するための図である。
【図８】吹き出し部から吹き出される空気の流速及び方向について説明するための図である。
【図９】本発明の実施形態に係る車両用空気吹き出し装置のルーバの動作を説明するための図である。
【図１０】本発明の実施形態に係る車両用空気吹き出し装置から吹き出される空気の流速及び方向について説明するための図である。
【発明を実施するための形態】
【００１５】
以下、添付図面を参照しながら本発明の実施形態について説明する。説明の理解を容易にするため、各図面において同一の構成要素に対しては可能な限り同一の符号を付して、重複する説明は省略する。
【００１６】
本発明の実施形態である車両用空気吹き出し装置１０は、車両５０（図５を参照）の車室内に、空調装置２０からの空調風を吹き出すための装置である。車両用空気吹き出し装置１０の説明に先立ち、図１を参照しながら空調装置２０の構成について説明する。尚、以下では、上、下、右、左、前、後と単に記載するものは、車両５０を基準とした上、下、右、左、前、後をいう。
【００１７】
空調装置２０は、車室内の前席の前方に配置されたインストルメントパネル１(図１では不図示。図２を参照）の内部に配置されている。空調装置２０は、外殻を構成する空調ケース２１を有する。この空調ケース２１は、空調対象空間である車室内へ空気を導く空気通路を構成している。空調ケース２１の空気流れ最上流部には、車室内空気（内気）を吸入する内気吸入口２２と車室外空気（外気）を吸入する外気吸入口２３とが形成されると共に、各吸入口２２、２３を選択的に開閉する吸入口開閉ドア２４が設けられている。これら内気吸入口２２、外気吸入口２３、および吸入口開閉ドア２４は、空調ケース２１内への吸入空気を内気および外気に切り替える内外気切替手段を構成している。尚、吸入口開閉ドア２４は、不図示の制御装置から出力される駆動信号により、その作動が制御される。
【００１８】
吸入口開閉ドア２４の空気流れ下流側には、車室内へ空気を送風する送風手段としての送風機２５が配置されている。送風機２５は、送風ファン２５ａと、ファンモータ２５ｂとを有している。ファンモータ２５ｂは、制御装置から出力される駆動信号により、その作動が制御される。
【００１９】
送風機２５の空気流れ下流側には、送風機２５により送風された空調風を冷却する蒸発器２６が配置されている。蒸発器２６は、その内部を流通する冷媒と空調風とを熱交換させる熱交換器であり、図示しない圧縮機、凝縮器、膨張弁等と共に蒸気圧縮式の冷凍サイクルを構成するものである。
【００２０】
蒸発器２６の空気流れ下流側には、蒸発器２６にて冷却された空気を加熱するヒータコア２７が配置されている。本実施形態のヒータコア２７は、車両エンジンの冷却水を熱源として空気を加熱する熱交換器である。また、蒸発器２６の空気流れ下流側には、蒸発器２６通過後の空気を、ヒータコア２７を迂回して流す冷風バイパス通路２８が形成されている。
【００２１】
ここで、ヒータコア２７および冷風バイパス通路２８の空気流れ下流側にて混合される空調風の温度は、ヒータコア２７を通過する空調風および冷風バイパス通路２８を通過する空調風の風量割合によって変化する。
【００２２】
このため、蒸発器２６の空気流れ下流側であって、ヒータコア２７および冷風バイパス通路２８の入口側には、エアミックスドア２９が配置されている。このエアミックスドア２９は、ヒータコア２７および冷風バイパス通路２８へ流入する冷風の風量割合を連続的に変化させるもので、蒸発器２６およびヒータコア２７と共に温度調整手段として機能する。エアミックスドア２９は、制御装置から出力される制御信号によってその作動が制御される。
【００２３】
空調ケース２１の空調風流れ最下流部には、デフロスタ／フェイス開口部３０およびフット開口部３１が設けられている。デフロスタ／フェイス開口部３０は、車両用空気吹き出し装置１０を介して、インストルメントパネル１の上面１ａに連通している。フット開口部３１は、フットダクト３２を介して、フット吹出口３３に連通している。
【００２４】
そして、上記各開口部３０、３１の空気流れ上流側には、デフロスタ／フェイス開口部３０を開閉するデフロスタ／フェイスドア３４、フット開口部３１を開閉するフットドア３５が配置されている。デフロスタ／フェイスドア３４およびフットドア３５は、車室内への空気の吹出状態を切り替える吹出モードドアである。
【００２５】
図２乃至４を参照しながら、車両用空気吹き出し装置１０の構成について説明する。車両用空気吹き出し装置１０は、空調装置２０の空調ケース２１から出た空調風を車室内に導く装置である。このため、図２に示されるように、車両用空気吹き出し装置１０は、空調ケース２１と、インストルメントパネル１の上面１ａとの間を繋いでいる。尚、本実施形態に係る車両用空気吹き出し装置１０と同様の構成のものは、一般に「ハイブリッドデフ装置」とも称される。
【００２６】
車両用空気吹き出し装置１０は、インストルメントパネル１の内側に配置され、デフロスタ／フェイス開口部３０と連通することで、デフロスタ／フェイス開口部３０から吹き出た空調風を車室内に導くようになっている。
【００２７】
車両用空気吹き出し装置１０は、主ケーシング１１、フラップ１２、１０個のルーバ２６１ａ〜２７０ａ、及び駆動機構１４を有している。尚、図２乃至４においては、１０個のルーバ２６１ａ〜２７０ａのうちルーバ２６１ａのみが図示されている。ルーバ２６１ａ〜２７０ａの配置やその動作については、図７等を参照しながら後に説明する。
【００２８】
主ケーシング１１は、デフロスタ／フェイス開口部３０から出た空調風を車室内に導く通風路Ｘを囲むダクトである。この主ケーシング１１によって囲まれる通風路Ｘには、フラップ１２、ルーバ２６１ａ〜２７０ａ等も配置される。主ケーシング１１の上端部分には、車室内に空気を吹き出すための開口ＯＰが形成されている。この開口ＯＰが形成された上端部分のことを、以下では「吹き出し部１１１」と表記する。
【００２９】
図３に示されるように、主ケーシング１１は、コアンダ壁１１２、前側壁１１３を備えた無底筒形状の部材である。コアンダ壁１１２は、上方に延びるにつれて緩やかに車両後方側に曲がるコアンダ面を、通風路Ｘ側に形成する壁である。主ケーシング１１の下方端は、上述のデフロスタ／フェイス開口部３０と接続されている。主ケーシング１１の上方端は、既に述べたように開口ＯＰが形成された吹き出し部１１１となっている。
【００３０】
本実施形態では、空調装置２０からの空調風を車室内に供給するためのモードとして、デフロストモードと、循環風モードと、フェイスモードと、フットモードとが用意されている。デフロストモードは、図５の矢印ＡＲ１で示されるように、開口ＯＰから吹き出された空調風を上方のフロントガラス２に向かわせて、フロントガラスの曇りを晴らすモードである。循環風モードは、図５の矢印ＡＲ２で示されるように、例えば乗員Ｍの頭上の空間を通過するような方向に向けて開口ＯＰから空調風を吹き出して、空調風を車室内で循環させるモードである。フェイスモードは、図５の矢印ＡＲ３で示されるように、開口ＯＰから吹き出された空調風を乗員Ｍの上半身に向かわせるモードである。フットモードは、図５の矢印ＡＲ４で示されるように、フット吹出口３３から吹き出された空調風を乗員Ｍの足元に向かわせるモードである。
【００３１】
上記のように、フットモード以外のモードでは、空調装置２０からの空調風はいずれも吹き出し部１１１の開口ＯＰから車室内に吹き出される。車両用空気吹き出し装置１０は、主ケーシング１１の内部に配置されたフラップ１２の角度を調整することにより、開口ＯＰから吹き出された空気の方向を各モードに合わせて変化させる。
【００３２】
フラップ１２は、通風路Ｘに配置される羽形状の部材である。駆動機構１４がこのフラップ１２を駆動してフラップ１２の傾斜角を変化させることで、デフロストモードとデフロストモード以外のモードとを切り替えることができる。ここでいう「デフロストモード以外のモード」とは、本実施形態においては循環風モードとフェイスモードのことである。
【００３３】
フラップ１２は、２枚の板部材を有している。それら板部材の各々は、主ケーシング１１の内部の通風路Ｘにおいて、フラップシャフト２２７の長手方向の殆どの部分から、フラップシャフト２２７の回転中心から離れるように、延びている。これら２枚の板部材は、フラップシャフト２２７に固定され、フラップシャフト２２７を中心として互いに対称的に延びている。このように構成されたフラップ１２は、フラップシャフト２２７と同軸かつ一体的に左右方向を軸として回転する。フラップシャフト２２７は、その両端が回転自在な状態で軸支された棒形状の部材である。
【００３４】
フェイスモードにおいては、図３に示されるように、フラップ１２の板部材が延びる方向が、鉛直方向に対して６０度を成すような状態とされる。このとき、フラップ１２とコアンダ壁１１２との間に形成される流路が狭くなるので、当該流路を通過する空気の流速は大きくなる。つまり、コアンダ壁１１２の内面（コアンダ面）に沿って高速気流が形成された状態となる。
【００３５】
本発明者らが行った検証によれば、壁面に沿って流れる空気の流速が大きくなる程、当該空気の流れ方向が壁面に沿って変化する傾向は強くなることが判っている。つまり、空気の流速が大きくなる程、所謂コアンダ効果が生じやすくなる。このため、図３に示されるような高速気流が形成された状態においては、主ケーシング１１の内部（通風路Ｘ）を上方に向かって流れる空気の多くはコアンダ壁１１２に沿ってその流れ方向を変化させ、乗員側、すなわち車両５０の後方側に向かって吹き出されることとなる。このように、コアンダ壁１１２は、吹き出される空気の少なくとも一部を、コアンダ効果により車両５０の後方側に向かうよう案内するものとして機能する。
【００３６】
デフロストモードにおいては、図４に示されるように、フラップ１２の板部材が延びる方向が、鉛直方向に対して４５度を成すような状態とされる。このとき、フラップ１２とコアンダ壁１１２との間に形成される流路が広くなるので、当該流路を通過する空気の流速は小さくなる。つまり、図３に示されるような高速気流は形成されず、コアンダ壁１１２の内面（コアンダ面）に沿って流れる空気の流速が小さくなる。
【００３７】
その結果、図４に示される状態においては、主ケーシング１１の内部（通風路Ｘ）を上方に向かって流れる空気は、コアンダ壁１１２に沿ってその流れ方向を殆ど変化させることなく、上方側に向かって、すなわちフロントガラス２に向かって吹き出されることとなる。
【００３８】
循環風モードにおいては、フラップ１２の板部材が延びる方向が鉛直方向に対してなす角度は、４５度よりも大きく且つ６０度よりも小さな角度となるように調整される。
【００３９】
吹き出し部１１１の形状及び配置について、図６を参照しながら説明する。同図に示されるように、開口ＯＰは、インストルメントパネル１の上面１ａにおいて細長く形成されている。
【００４０】
開口ＯＰは、上面１ａのうち左右方向の全体に亘るように形成されているのではなく、右側寄りの部分に偏在するような位置に形成されている。また、開口ＯＰは、上面視においてその全体が一直線状に形成されているのではなく、直線状に形成された部分と、曲線状に形成された部分とを有している。尚、「直線状」とは、細長く形成された開口ＯＰの中心線Ａが直線となるような形状のことを示す。また、「曲線状」とは、細長く形成された開口ＯＰの中心線Ａが曲線となるような形状のことを示す。
【００４１】
図６に示されるように、本実施形態における吹き出し部１１１は、直線部１１１ａと、曲線部１１１ｂと、直線部１１１ｃとが、車両５０の左右方向に沿って右から順に並ぶように構成されている。
【００４２】
直線部１１１ａは、開口ＯＰが直線状に形成されている部分であって、開口ＯＰの延びる方向が車両５０の左右方向に沿っている部分である。また、直線部１１１ａは吹き出し部１１１のうち右側の部分となっており、運転席５０１の正面側に配置されている。このため、デフロストモード以外のモードにおいては、直線部１１１ａからの空気はコアンダ壁１１２に案内されることにより、運転席５０１に向けて吹き出されることとなる。
【００４３】
直線部１１１ｃは、開口ＯＰが直線状に形成されている部分であって、開口ＯＰの延びる方向（長手方向）が車両５０の左右方向に対して傾斜している部分である。直線部１１１ｃは、吹き出し部１１１のうち左側の部分となっており、上面視において、左側に行くほどフロントガラス２に近づくように傾斜している。このため、デフロストモード以外のモードにおいては、直線部１１１ｃからの空気はコアンダ壁１１２に案内されることにより、少なくともその一部が助手席５０２に向けて吹き出されることとなる。
【００４４】
曲線部１１１ｂは、上記の直線部１１１ａと直線部１１１ｃとの間の部分であって、両者を滑らかに繋ぐように形成された部分である。このため、曲線部１１１ｂは開口ＯＰが曲線状に形成された部分となっており、曲線部１１１ｂにおいては開口ＯＰの中心線Ａが後方側に向かって凸となっている。デフロストモード以外のモードにおいては、曲線部１１１ｂからの空気はコアンダ壁１１２に案内されることにより、少なくともその一部が助手席５０２に向けて吹き出されることとなる。尚、曲線部１１１ｂの各部における曲率は、曲線部１１１ｂの全体において均一の値であってもよく、場所により異なる値であってもよい。
【００４５】
このように、本実施形態においては、吹き出し部１１１（開口ＯＰ）が車両５０の幅方向全体に亘るように配置されているのではなく、一部のみに偏在するように配置されている。しかしながら、一部に曲線部１１１ｂを有していることにより、車室内において複数の方向に向けて空気を吹き出すことが可能となっている。このため、デフロストモード以外のモードにおいて、車室内の全体に向けて空調風を到達させることができる。
【００４６】
また、本実施形態では、吹き出し部１１１のうち左側（助手席５０２側）の端部Ｐ１、すなわち、左右方向において吹き出し部１１１が寄せられている方（右側）とは反対側の端部は、インストルメントパネル１の上面１ａのうち、前方側の端部近傍まで延びている。換言すれば、フロントガラス２の下端部に空気を吹き付けることができる位置まで吹き出し部１１１（開口ＯＰ）が延びている。このため、デフロストモードにおいては、フロントガラス２の広範囲における曇りを晴らすことができる。
【００４７】
尚、吹き出し部１１１（開口ＯＰ）の形状としては、図６に示された形状に限定される必要はなく、種々の形状を採用し得る。例えば、直線部１１１ｃを有しておらず、吹き出し部１１１の左側部分の全体が曲線部１１１ｂとなっているような構成としてもよい。また、直線部と曲線部とをそれぞれ複数有するような構成としてもよい。先に説明したフラップ１２は、開口ＯＰの延びる方向に沿って配置される。このため、フラップ１２が複数個に分割された状態で主ケーシング１１の内部に配置された構成とすることが望ましい。
【００４８】
図７を参照しながら、ルーバ２６１ａ〜２７０ａの構成について説明する。ルーバ２６１ａ〜２７０ａは、通風路Ｘのうちフラップ１２よりも上流側となる位置において、開口ＯＰの延びる方向に沿って一例に並んで配置されている。ルーバ２６１ａ〜２７０ａは、吹き出し部１１１から吹き出される空気の、左右方向における広がりを調整するための機構である。図７では、図６の中心線Ａに沿って並ぶルーバ２６１ａ〜２７０ａが模式的に描かれている。
【００４９】
ルーバ２６１ａ〜２７０ａのそれぞれは、２枚の平板部材を有している。それら板部材の各々は、主ケーシング１１の内部の通風路Ｘにおいて、ルーバシャフト２６１〜２７０の長手方向の殆どの部分から、ルーバシャフト２６１〜２７０の回転中心から離れるように、延びている。また、これら２枚の板部材は、ルーバシャフト２６１〜２７０に固定され、ルーバシャフト２６１〜２７０を中心として互いに対称的に延びている。このように構成されたルーバ２６１ａ〜２７０ａは、ルーバシャフト２６１〜２７０と同軸かつ一体的に前後方向を軸として回転する。
【００５０】
図７に示される状態においては、ルーバ２６１ａ〜２７０ａの全てが鉛直方向に沿うような角度となっている。駆動機構１４により、ルーバ２６１ａ〜２７０ａのそれぞれの角度を個別に変化させることが可能となっている。このようなルーバ２６１ａ等の角度調整を実現するための具体的な構成については図示を省略するが、例えばルーバ毎に個別のモータを設けたり、ギヤの減速比をルーバ毎に異ならせたりする等、既知の構成を組み合わせることにより実現可能である。
【００５１】
図８を参照しながら、本実施形態のように曲線部１１１ｂを有する構成とした場合において生じ得る問題点について説明する。図６を参照しながら既に説明したように、デフロストモード以外のモード（フェイスモード又は循環風モード）では、吹き出し部１１１の各部から、上面視において中心線Ａに対して垂直となる方向に向けて空気が吹き出される。
【００５２】
このため、図８に示されるように、直線部１１１ａの各部から吹き出される空気の方向はいずれも同じ方向となっている。同様に、直線部１１１ｃの各部から吹き出される空気の方向はいずれも同じ方向となっている。一方、曲線部１１１ｂにおいては開口ＯＰ（及び中心線Ａ）が曲線状となっているので、曲線部１１１ｂの各部から吹き出される空気の方向は互いに異なることとなる。具体的には、図８に示されるように左右方向に広がるように空気が吹き出される。その結果、曲線部１１１ｂを経由して後方側に吹き出される空気の流速は、直線部１１１ａや直線部１１１ｃを経由して後方側に吹き出される空気の流速に比べて小さくなる傾向がある。
【００５３】
既に述べたように、壁面に沿って流れる空気の流速が小さくなるほどコアンダ効果は生じにくくなる。このため、曲線部１１１ｂからの空気は、直線部１１１ａ等からの空気に比べてコアンダ効果の影響を受けにくく、車両５０の後方側に向かう速度成分が小さくなってしまう。図８においては、吹き出される空気の流速の分布が矢印の長さによって示されている。
【００５４】
以上のように、吹き出し部１１１の一部に曲線部１１１ｂを有するような構成においては、車両５０の後方側に向かう速度成分の大きさにばらつきが生じてしまう。その結果、例えば助手席５０２に到達する空調風の風速が、運転席５０１に到達する空調風の風速に比べて著しく低下してしまうようなことが起こりうる。
【００５５】
そこで、本実施形態に係る車両用空気吹き出し装置１０では、内部に配置されたルーバ２６１ａ〜２７０ａのそれぞれの角度を調整することにより、上記のように空気の速度分布が不均一となってしまうことを防止している。
【００５６】
デフロストモード以外のモードにおけるルーバ２６１ａ〜２７０ａのそれぞれの角度について、図９を参照しながら説明する。図９では、先に説明した図７の場合と同様に、図６の中心線Ａに沿って並ぶルーバ２６１ａ〜２７０ａが模式的に描かれている。
【００５７】
図９に示されるように、本実施形態では、直線部１１１ｃの概ね下方となる位置にルーバ２６１ａ、２６２ａ、２６３ａが配置されている。デフロストモード以外のモードにおいて、これらのルーバ２６１ａ、２６２ａ、２６３ａは、その上方側部分が曲線部１１１ｂに近づくような方向に傾斜した状態とされる。それぞれの傾斜角度は互いに同一である。このような傾斜角度は、直線部１１１ｃから吹き出される空気を、フロントガラス２から遠ざかる方向（後方側且つ右側）に向けて案内する角度、ということができる。
【００５８】
直線部１１１ａの概ね下方となる位置には、ルーバ２６６ａ、２６７ａ、２６８ａ、２６９ａ、２７０ａが配置されている。デフロストモード以外のモードにおいて、これらのルーバ２６６ａ、２６７ａ、２６８ａ、２６９ａ、２７０ａは、いずれも鉛直方向に沿うような状態とされる。つまり、それぞれの傾斜角度は互いに同一である。
【００５９】
曲線部１１１ｂの概ね下方となる位置には、ルーバ２６４ａ、２６５ａが配置されている。デフロストモード以外のモードにおいて、これらのうちルーバ２６４ａの傾斜角度は、ルーバ２６６ａ等と同じ傾斜角度とされる。また、ルーバ２６５ａの傾斜角度は、ルーバ２６１ａ等と同じ傾斜角度とされる。
【００６０】
その結果、ルーバ２６３ａとルーバ２６４ａとの間の隙間、ルーバ２６４ａとルーバ２６５ａとの間の隙間、及び、ルーバ２６５ａとルーバ２６６ａとの間の隙間は、これら以外の隙間に比べて狭くなっており、当該部分において流路が絞られた状態となっている。このように流路が絞られた部分（絞り部）を、図９ではそれぞれ点線ＮＲで囲むことによって示している。
【００６１】
このように、曲線部１１１ｂの下方において流路が部分的に絞られた状態とされた結果、当該部分（点線ＮＲ）を通過する空気の流速は、他の部分を通過する空気の流速よりも大きくなる。このため、図９において矢印で示されるように、ルーバを通過した直後における空気の流速は、曲線部１１１ｂの下方においては比較的大きく、直線部１１１ａや直線部１１１ｃの下方においては比較的小さい。
【００６２】
曲線部１１１ｂに到達する空気は、大きな流速に起因してコアンダ効果の影響を大きく受けることとなる。つまり、コアンダ壁１１２に沿ってその流れ方向を大きく（後方側に）変化させることとなる。
【００６３】
ルーバ２６１ａ〜２７０ａのそれぞれの角度が上記のように調整された結果、デフロストモード以外のモードにおいて吹き出し部１１１から吹き出される空気の方向の分布を図１０に示した。
【００６４】
本実施形態においては、絞り部（点線ＮＲ）の形成によって曲線部１１１ｂに向かう空気の流速が大きくなるので、曲線部１１１ｂを経由して後方側に吹き出される空気の流速が、直線部１１１ａや直線部１１１ｃを経由して後方側に吹き出される空気の流速と同程度となっている。換言すれば、このような速度分布となるように、絞り部における流路の絞り具合が調整される。
【００６５】
吹き出し部１１１のうち直線部１１１ｃの下方側、に配置されている一群のルーバ（２６１ａ、２６２ａ、２６３ａ）の角度は、既に述べたように、吹き出される空気をフロントガラス２から遠ざかる方向に向けて案内するような角度とされる。その結果、図１０に示されるように、直線部１１１ｃから吹き出される空気が向かう方向は、角度θだけ助手席５０２側近づくように変化している。換言すれば、フロントガラス２からより遠ざかるような方向に変化している。尚、図１０に示される点線矢印は、ルーバ２６１ａ、２６２ａ、２６３ａがいずれも鉛直方向に沿っているときに、直線部１１１ｃから吹き出される空気が向かう方向を示している。尚、ルーバ２６１ａ、２６２ａ、２６３ａ、は、複数のルーバのうち、左右方向において吹き出し部１１１が寄せられている方（右側）とは反対側に配置されている一群のルーバに該当する。
【００６６】
本実施形態では、デフロストモードにおいて直線部１１１ｃから吹き出される空気がフロントガラス２の広い範囲に当たるように、フロントガラス２の下端部に空気を吹き付けることができる位置まで直線部１１１ｃの左側端部が延びている。デフロストモード以外のモードにおいては、直線部１１１ｃから吹き出される空気の一部が、助手席５０２の乗員よりも更に左側に向かってしまい、乗員の体に当たらないことが懸念される。
【００６７】
しかしながら、本実施形態では、直線部１１１ｃから吹き出される空気が向かう方向が、角度θだけ助手席５０２側に近づくように、ルーバ２６１ａ、２６２ａ、２６３ａの角度が調整されている。このため、デフロストモード以外のモードにおいて、より多くの空気を助手席５０２側に向かわせることができる。
【００６８】
曲線部１１１ｂの下方側に絞り部を形成し、流速を部分的に大きくするための方法としては、ルーバ２６１ａ〜２７０ａのそれぞれの角度を図９に示されるようなものとすることの他、別の方法が取られてもよい。例えば、ルーバ２６４ａとルーバ２６５ａのみを鉛直方向に対して傾斜させ、他のルーバ２６１ａ等を全て鉛直方向に沿わせる状態としても、曲線部１１１ｂを通る空気の流速を高めることができる。ただし、直線部１１１ｃから吹き出された空気の多くを助手席５０２側に向かわせるという観点からは、ルーバ２６１ａ〜２７０ａのそれぞれの角度を図９に示されるようなものとすることが望ましい。
【００６９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
５０：車両
１：インストルメントパネル
２：フロントガラス
１０：車両用空気吹き出し装置
２０：空調装置
１１１：吹き出し部
１１１ａ：直線部
１１１ｂ：曲線部
１１１ｃ：直線部
１１２：コアンダ壁
【図１】
2017149307.tif 000003
【図２】
2017149307.tif 000004
【図３】
2017149307.tif 000005
【図４】
2017149307.tif 000006
【図５】
2017149307.tif 000007
【図６】
2017149307.tif 000008
【図７】
2017149307.tif 000009
【図８】
2017149307.tif 000010
【図９】
2017149307.tif 000011
【図１０】
2017149307.tif 000012